【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
広告コンテンツの代わりに再生されることになるユーザに関連するコンテンツの再生リストを生成および提供する方法であって、前記方法は、
制御回路を使用して、ユーザのプロファイルにアクセスすることと、
前記プロファイルのデータに基づいて、複数の番組コンテンツを含む再生リストを生成することと、
広告コンテンツが前記ユーザに再生されることになることを判定することと、
前記広告コンテンツが前記ユーザに再生されることになることの判定に応答して、
前記再生リストの複数の番組コンテンツの番組コンテンツを選択し、前記広告コンテンツの代わりに再生することと、
表示のために前記番組コンテンツを生成することと
を含む、方法。
【請求項２】
前記再生リストを生成することは、
広告コンテンツの複数の典型的持続時間を判定することであって、前記複数の典型的持続時間の各典型的持続時間は、広告コンテンツの異なる典型的持続時間に対応する、ことと、
番組コンテンツのセットを前記再生リストに追加することであって、前記セットの各番組コンテンツは、各個別の異なる典型的持続時間に対応する、ことと、
を含む、請求項１に記載の方法。
【請求項３】
前記番組コンテンツのセットを追加することは、
前記プロファイルに基づいて、種々の番組コンテンツを自動的に録画することと、
前記種々の番組コンテンツの複数のセグメントを識別することであって、前記複数のセグメントの各セグメントは、各個別の典型的持続時間に対応する持続時間を有し、前記複数のセグメントの各セグメントは、前記ユーザに関連する、ことと、
前記複数のセグメントの各セグメントを前記再生リストに追加することと
を含む、請求項２に記載の方法。
【請求項４】
前記複数の番組コンテンツの番組コンテンツを選択し、前記広告コンテンツの代わりに再生することは、前記広告コンテンツの持続時間に対応する持続時間を有する前記セットの第１の番組コンテンツを選択することを含む、請求項２および請求項３のいずれかに記載の方法。
【請求項５】
前記複数の番組コンテンツの番組コンテンツを選択し、前記広告コンテンツの代わりに再生することは、
前記ユーザが現在視聴している番組に関連する前記再生リストの第１の番組コンテンツを識別することと、
前記プロファイルに基づいて、前記第１の番組コンテンツが前記ユーザにとって関心がある可能性が高いかどうかを判定することと、
前記第１の番組コンテンツが前記ユーザにとって関心がある可能性が高いことの判定に応答して、前記第１の番組コンテンツを前記複数の番組コンテンツから選択することと
を含む、請求項１〜４のいずれかに記載の方法。
【請求項６】
表示のために前記番組コンテンツを生成することは、
前記広告コンテンツが前記番組コンテンツによって置換されることを要求するユーザ入力を受信することと、
任意の広告コンテンツが再生されるとき、前記番組コンテンツに遷移することの事前に設定された要求を検出することと
のうちの少なくとも１つに基づく、請求項１〜５のいずれかに記載の方法。
【請求項７】
前記再生リストを周期的に評価することと、
前記評価の間、前記再生リストの第１の番組コンテンツがもはや前記ユーザに関連しないかどうかを判定することであって、前記再生リストの第１の番組コンテンツがもはや前記ユーザに関連しないことを判定することは、前記第１の番組コンテンツのジャンル、前記第１の番組コンテンツの経過時間、および前記第１の番組コンテンツのタイプのうちの少なくとも１つに基づく、ことと、
前記再生リストの第１の番組コンテンツがもはや前記ユーザに関連しないことの判定に応答して、前記第１の番組コンテンツを前記再生リストから除去することと
をさらに含む、請求項１〜６のいずれかに記載の方法。
【請求項８】
前記ユーザは、現在、インターネットを通して提供される番組を視聴しており、前記広告コンテンツは、インターネット広告コンテンツであり、前記方法はさらに、
前記インターネット広告コンテンツの持続時間の印に基づいて、前記インターネット広告コンテンツの持続時間を判定すること
を含み、
再生するための前記再生リストの複数の番組コンテンツの番組コンテンツを選択することは、前記インターネット広告コンテンツの持続時間に対応する持続時間を有する番組コンテンツを選択することを含む、請求項１〜７のいずれかに記載の方法。
【請求項９】
前記広告コンテンツは、第１のユーザ機器を経由して再生されることになり、前記方法は、前記広告コンテンツと前記番組コンテンツを置換するためのユーザ入力を受信することをさらに含み、表示のために前記番組コンテンツを生成することは、前記第２のユーザ機器上で表示のために前記番組コンテンツを生成することを含む、請求項１〜８のいずれかに記載の方法。
【請求項１０】
前記番組コンテンツは、前記ユーザによって録画された番組コンテンツを含み、前記ユーザによって録画された前記複数の番組コンテンツは、広告を含まず、前記方法は、
前記広告コンテンツが前記ユーザに再生されることになることの判定に応答して、前記広告コンテンツの持続時間を判定することと、
前記複数の番組コンテンツのうちの他のもののいずれかの持続時間より前記広告コンテンツにより密接に対応する前記番組コンテンツの持続時間に基づいて、前記番組コンテンツを選択し、前記広告コンテンツの代わりに再生することと
をさらに含む、請求項１〜９のいずれかに記載の方法。
【請求項１１】
請求項１〜１０のいずれかに記載の方法を実行するように構成される制御回路を備えるシステム。
【手続補正２】
【補正対象書類名】明細書
【補正対象項目名】００１５
【補正方法】変更
【補正の内容】
【００１５】
いくつかの実施形態では、再生リストは、ユーザのユーザ機器によって録画させられるコンテンツ（例えば、ユーザが録画した放送コンテンツ）ならびにストリーミング、ダウンロード、またはＯＴＴコンテンツ等のインターネットコンテンツの両方を含んでもよい。コンテンツは、ローカルでキャッシュされてもよい、または遠隔場所から要求に応じてアクセスされてもよい。
本発明は、例えば、以下を提供する。
（項目１）
広告コンテンツの代わりに再生されることになるユーザに関連するコンテンツの再生リストを生成および提供する方法であって、前記方法は、
ユーザのプロファイルにアクセスすることと、
前記プロファイルのデータに基づいて、複数の番組コンテンツを含む再生リストを生成することと、
広告コンテンツが前記ユーザに間もなく再生されることになることを判定することと、
前記広告コンテンツが前記ユーザに間もなく再生されることになることの判定に応答して、
前記再生リストの複数の番組コンテンツの番組コンテンツを選択し、前記広告コンテンツの代わりに再生することと、
表示のために前記番組コンテンツを生成することと
を含む、方法。
（項目２）
前記再生リストを生成することは、
広告コンテンツの複数の典型的持続時間を判定することであって、前記複数の典型的持続時間の各典型的持続時間は、広告コンテンツの異なる典型的持続時間に対応する、ことと、
番組コンテンツのセットを前記再生リストに追加することであって、前記セットの各番組コンテンツは、各個別の異なる典型的持続時間に対応する、ことと
を含む、項目１に記載の方法。
（項目３）
前記番組コンテンツのセットを追加することは、
前記プロファイルに基づいて、種々の番組コンテンツを自動的に録画することと、
前記種々の番組コンテンツの複数のセグメントを識別することであって、前記複数のセグメントの各セグメントは、各個別の典型的持続時間に対応する持続時間を有し、前記複数のセグメントの各セグメントは、前記ユーザに関連する、ことと、
前記複数のセグメントの各セグメントを前記再生リストに追加することと
を含む、項目２に記載の方法。
（項目４）
前記複数の番組コンテンツの番組コンテンツを選択し、前記広告コンテンツの代わりに再生することは、前記広告コンテンツの持続時間に対応する持続時間を有する前記セットの第１の番組コンテンツを選択することを含む、項目２に記載の方法。
（項目５）
前記複数の番組コンテンツの番組コンテンツを選択し、前記広告コンテンツの代わりに再生することは、
前記ユーザが現在視聴している番組に関連する前記再生リストの第１の番組コンテンツを識別することと、
前記プロファイルに基づいて、前記第１の番組コンテンツが前記ユーザに関心がある可能性が高いかどうかを判定することと、
前記第１の番組コンテンツが前記ユーザに関心がある可能性が高いことの判定に応答して、前記第１の番組コンテンツを前記複数の番組コンテンツから選択することと
を含む、項目１に記載の方法。
（項目６）
表示のために前記番組コンテンツを生成することは、
前記広告コンテンツが前記番組コンテンツによって置換されることを要求する、ユーザ入力を受信することと、
任意の広告コンテンツが再生されるとき、前記番組コンテンツに遷移することの事前に設定された要求を検出することと
のうちの少なくとも１つに基づく、項目１に記載の方法。
（項目７）
前記再生リストを周期的に評価することと、
前記評価の間、前記再生リストの第１の番組コンテンツがもはや前記ユーザに関連しないかどうかを判定することであって、前記再生リストの第１の番組コンテンツがもはや前記ユーザに関連しないことを判定することは、前記第１の番組コンテンツのジャンル、前記第１の番組コンテンツの経過時間、および前記第１の番組コンテンツのタイプのうちの少なくとも１つに基づく、ことと、
前記再生リストの第１の番組コンテンツがもはや前記ユーザに関連しないことの判定に応答して、前記第１の番組コンテンツを前記再生リストから除去することと
をさらに含む、項目１に記載の方法。
（項目８）
前記ユーザは、現在、インターネットを通して提供される番組を視聴しており、前記広告コンテンツは、インターネット広告コンテンツであり、前記方法はさらに、
前記インターネット広告コンテンツの持続時間の印に基づいて、前記インターネット広告コンテンツの持続時間を判定すること
を含み、
再生するための前記再生リストの複数の番組コンテンツの番組コンテンツを選択することは、前記インターネット広告コンテンツの持続時間に対応する持続時間を有する番組コンテンツを選択することを含む、項目１に記載の方法。
（項目９）
前記広告コンテンツは、第１のユーザ機器を経由して間もなく再生されることになり、前記方法はさらに、前記広告コンテンツと前記番組コンテンツを置換するためのユーザ入力を受信することを含み、表示のために前記番組コンテンツを生成することは、前記第２のユーザ機器上で表示のために前記番組コンテンツを生成することを含む、項目１に記載の方法。
（項目１０）
前記再生リストは、（１）前記ユーザのユーザ機器によって録画させられるコンテンツと、（２）ストリーミングコンテンツとの両方を含む、項目１に記載の方法。
（項目１１）
広告コンテンツの代わりに再生されることになるユーザに関連するコンテンツの再生リストを生成および提供するためのシステムであって、前記システムは、
通信回路と、
表示回路と、
制御回路であって、前記制御回路は、
前記通信回路を使用して、ユーザのプロファイルにアクセスすることと、
前記プロファイルのデータに基づいて、複数の番組コンテンツを含む再生リストを生成することと、
広告コンテンツが前記ユーザに間もなく再生されることになることを判定することと、
前記広告コンテンツが前記ユーザに間もなく再生されることになることの判定に応答して、
前記再生リストの複数の番組コンテンツの番組コンテンツを選択し、前記広告コンテンツの代わりに再生することと、
前記表示回路を使用して、表示のために前記番組コンテンツを生成することと
を行うように構成される、制御回路と
を備える、システム。
（項目１２）
前記制御回路はさらに、前記再生リストを生成するとき、
広告コンテンツの複数の典型的持続時間を判定することであって、前記複数の典型的持続時間の各典型的持続時間は、広告コンテンツの異なる典型的持続時間に対応する、ことと、
番組コンテンツのセットを前記再生リストに追加することであって、前記セットの各番組コンテンツは、各個別の異なる典型的持続時間に対応する、ことと
を行うように構成される、項目１１に記載のシステム。
（項目１３）
前記制御回路はさらに、前記番組コンテンツのセットを追加するとき、
前記プロファイルに基づいて、種々の番組コンテンツを自動的に録画することと、
前記種々の番組コンテンツの複数のセグメントを識別することであって、前記複数のセグメントの各セグメントは、各個別の典型的持続時間に対応する持続時間を有し、前記複数のセグメントの各セグメントは、前記ユーザに関連する、ことと、
前記複数のセグメントの各セグメントを前記再生リストに追加することと
を行うように構成される、項目１２に記載のシステム。
（項目１４）
前記制御回路はさらに、前記複数の番組コンテンツの番組コンテンツを選択し、前記広告コンテンツの代わりに再生するとき、前記広告コンテンツの持続時間に対応する持続時間を有する前記セットの第１の番組コンテンツを選択するように構成される、項目１２に記載のシステム。
（項目１５）
前記制御回路はさらに、前記複数の番組コンテンツの番組コンテンツを選択し、前記広告コンテンツの代わりに再生するとき、
前記ユーザが現在視聴している番組に関連する前記再生リストの第１の番組コンテンツを識別することと、
前記プロファイルに基づいて、前記第１の番組コンテンツが前記ユーザに関心がある可能性が高いかどうかを判定することと、
前記第１の番組コンテンツが前記ユーザに関心がある可能性が高いことの判定に応答して、前記第１の番組コンテンツを前記複数の番組コンテンツから選択することと
を行うように構成される、項目１１に記載のシステム。
（項目１６）
前記制御回路はさらに、表示のために前記番組コンテンツを生成するとき、前記表示のための番組コンテンツの生成が、
前記広告コンテンツが前記番組コンテンツによって置換されることを要求するユーザ入力を受信することと、
任意の広告コンテンツが再生されるとき、前記番組コンテンツに遷移することの事前に設定された要求を検出することと
のうちの少なくとも１つに基づくように構成される、項目１１に記載のシステム。
（項目１７）
前記制御回路はさらに、
前記再生リストを周期的に評価することと、
前記評価の間、前記再生リストの第１の番組コンテンツがもはや前記ユーザに関連しないかどうかを判定することであって、前記再生リストの第１の番組コンテンツがもはや前記ユーザに関連しないことを判定することは、前記第１の番組コンテンツのジャンル、前記第１の番組コンテンツの経過時間、および前記第１の番組コンテンツのタイプのうちの少なくとも１つに基づく、ことと、
前記再生リストの第１の番組コンテンツがもはや前記ユーザに関連しないことの判定に応答して、前記第１の番組コンテンツを前記再生リストから除去することと
を行うように構成される、項目１１に記載のシステム。
（項目１８）
前記ユーザは、現在、インターネットを通して提供される番組を視聴しており、前記広告コンテンツは、インターネット広告コンテンツであり、前記制御回路はさらに、
前記インターネット広告コンテンツの持続時間の印に基づいて、前記インターネット広告コンテンツの持続時間を判定すること
を行うように構成され、
前記制御回路はさらに、再生するための前記再生リストの複数の番組コンテンツの番組コンテンツを選択するとき、前記インターネット広告コンテンツの持続時間に対応する持続時間を有する番組コンテンツを選択するように構成される、項目１１に記載のシステム。
（項目１９）
前記広告コンテンツは、第１のユーザ機器を経由して間もなく再生されることになり、前記制御回路はさらに、前記広告コンテンツと前記番組コンテンツを置換するためのユーザ入力を受信するように構成され、前記制御回路はさらに、表示のために前記番組コンテンツを生成するとき、前記第２のユーザ機器上で表示のために前記番組コンテンツを生成するように構成される、項目１１に記載のシステム。
（項目２０）
前記再生リストは、（１）前記ユーザのユーザ機器によって録画させられるコンテンツと、（２）ストリーミングコンテンツとの両方を含む、項目１１に記載のシステム。
（項目２１）
広告コンテンツの代わりに再生されることになるユーザに関連するコンテンツの再生リストを生成および提供するためのシステムであって、前記システムは、
ユーザのプロファイルにアクセスするための手段と、
前記プロファイルのデータに基づいて、複数の番組コンテンツを含む再生リストを生成するための手段と、
広告コンテンツが前記ユーザに間もなく再生されることになることを判定するための手段と、
前記広告コンテンツが前記ユーザに間もなく再生されることになることの判定に応答して、
前記再生リストの複数の番組コンテンツの番組コンテンツを選択し、前記広告コンテンツの代わりに再生するための手段と、
表示のために前記番組コンテンツを生成するための手段と
を備える、システム。
（項目２２）
前記再生リストを生成するための手段は、
広告コンテンツの複数の典型的持続時間を判定するための手段であって、前記複数の典型的持続時間の各典型的持続時間は、広告コンテンツの異なる典型的持続時間に対応する、手段と、
番組コンテンツのセットを前記再生リストに追加するための手段であって、前記セットの各番組コンテンツは、各個別の異なる典型的持続時間に対応する、手段と
を備える、項目２１に記載のシステム。
（項目２３）
前記番組コンテンツのセットを追加するための手段は、
前記プロファイルに基づいて、種々の番組コンテンツを自動的に録画するための手段と、
前記種々の番組コンテンツの複数のセグメントを識別するための手段であって、前記複数のセグメントの各セグメントは、各個別の典型的持続時間に対応する持続時間を有し、前記複数のセグメントの各セグメントは、前記ユーザに関連する、手段と、
前記複数のセグメントの各セグメントを前記再生リストに追加するための手段と
を備える、項目２２に記載のシステム。
（項目２４）
前記複数の番組コンテンツの番組コンテンツを選択し、前記広告コンテンツの代わりに再生するための手段は、前記広告コンテンツの持続時間に対応する持続時間を有する前記セットの第１の番組コンテンツを選択するための手段を備える、項目２２に記載のシステム。
（項目２５）
前記複数の番組コンテンツの番組コンテンツを選択し、前記広告コンテンツの代わりに再生するための手段は、
前記ユーザが現在視聴している番組に関連する前記再生リストの第１の番組コンテンツを識別するための手段と、
前記プロファイルに基づいて、前記第１の番組コンテンツが前記ユーザに関心がある可能性が高いかどうかを判定するための手段と、
前記第１の番組コンテンツが前記ユーザに関心がある可能性が高いことの判定に応答して、前記第１の番組コンテンツを前記複数の番組コンテンツから選択するための手段と
を備える、項目２１に記載のシステム。
（項目２６）
前記表示のために前記番組コンテンツを生成するための手段は、
前記広告コンテンツが前記番組コンテンツによって置換されることを要求するユーザ入力を受信するための手段と、
任意の広告コンテンツが再生されるとき、前記番組コンテンツに遷移することの事前に設定された要求を検出するための手段と
のうちの少なくとも１つに基づいて、表示のために前記番組コンテンツを生成するための手段を備える、項目２１に記載のシステム。
（項目２７）
前記再生リストを周期的に評価するための手段と、
前記評価の間、前記再生リストの第１の番組コンテンツがもはや前記ユーザに関連しないかどうかを判定するための手段であって、前記再生リストの第１の番組コンテンツがもはや前記ユーザに関連しないことを判定するための手段は、前記第１の番組コンテンツのジャンル、前記第１の番組コンテンツの経過時間、および前記第１の番組コンテンツのタイプのうちの少なくとも１つに基づく、手段と、
前記再生リストの第１の番組コンテンツがもはや前記ユーザに関連しないことの判定に応答して、前記第１の番組コンテンツを前記再生リストから除去するための手段と
をさらに備える、項目２１に記載のシステム。
（項目２８）
前記ユーザは、現在、インターネットを通して提供される番組を視聴しており、前記広告コンテンツは、インターネット広告コンテンツであり、前記システムはさらに、
前記インターネット広告コンテンツの持続時間の印に基づいて、前記インターネット広告コンテンツの持続時間を判定するための手段
を備え、
再生するための前記再生リストの複数の番組コンテンツの番組コンテンツを選択するための手段は、前記インターネット広告コンテンツの持続時間に対応する持続時間を有する番組コンテンツを選択するための手段を備える、項目２１に記載のシステム。
（項目２９）
前記広告コンテンツは、第１のユーザ機器を経由して間もなく再生されることになり、前記システムはさらに、前記広告コンテンツと前記番組コンテンツを置換するためのユーザ入力を受信するための手段を備え、表示のために前記番組コンテンツを生成するための手段は、前記第２のユーザ機器上で表示のために前記番組コンテンツを生成するための手段を含む、項目２１に記載のシステム。
（項目３０）
前記再生リストは、前記ユーザのユーザ機器によって録画させられるコンテンツと、ストリーミングコンテンツとを含む、項目２１に記載のシステム。
（項目３１）
広告コンテンツの代わりに再生されることになるユーザに関連するコンテンツの再生リストを生成および提供するためのその上にエンコードされた命令を伴うメモリを備える、非一過性機械可読媒体であって、前記命令は、
ユーザのプロファイルにアクセスするための命令と、
前記プロファイルのデータに基づいて、複数の番組コンテンツを含む再生リストを生成するための命令と、
広告コンテンツが前記ユーザに間もなく再生されることになることを判定するための命令と、
前記広告コンテンツが前記ユーザに間もなく再生されることになることの判定に応答して、
前記再生リストの複数の番組コンテンツの番組コンテンツを選択し、前記広告コンテンツの代わりに再生するための命令と、
表示のために前記番組コンテンツを生成するための命令と
を備える、非一過性機械可読媒体。
（項目３２）
前記再生リストを生成するための命令は、
広告コンテンツの複数の典型的持続時間を判定するための命令であって、前記複数の典型的持続時間の各典型的持続時間は、広告コンテンツの異なる典型的持続時間に対応する、命令と、
番組コンテンツのセットを前記再生リストに追加するための命令であって、前記セットの各番組コンテンツは、各個別の異なる典型的持続時間に対応する、命令と
を備える、項目３１に記載の非一過性機械可読媒体。
（項目３３）
前記番組コンテンツのセットを追加するための命令は、
前記プロファイルに基づいて、種々の番組コンテンツを自動的に録画するための命令と、
前記種々の番組コンテンツの複数のセグメントを識別するための命令であって、前記複数のセグメントの各セグメントは、各個別の典型的持続時間に対応する持続時間を有し、前記複数のセグメントの各セグメントは、前記ユーザに関連する、命令と、
前記複数のセグメントの各セグメントを前記再生リストに追加するための命令と
を備える、項目３２に記載の非一過性機械可読媒体。
（項目３４）
前記複数の番組コンテンツの番組コンテンツを選択し、前記広告コンテンツの代わりに再生するための命令は、前記広告コンテンツの持続時間に対応する持続時間を有する前記セットの第１の番組コンテンツを選択するための命令を含む、項目３２に記載の非一過性機械可読媒体。
（項目３５）
前記複数の番組コンテンツの番組コンテンツを選択し、前記広告コンテンツの代わりに再生するための命令は、
前記ユーザが現在視聴している番組に関連する前記再生リストの第１の番組コンテンツを識別するための命令と、
前記プロファイルに基づいて、前記第１の番組コンテンツが前記ユーザに関心がある可能性が高いかどうかを判定するための命令と、
前記第１の番組コンテンツが前記ユーザに関心がある可能性が高いことの判定に応答して、前記第１の番組コンテンツを前記複数の番組コンテンツから選択するための命令と
を備える、項目３１に記載の非一過性機械可読媒体。
（項目３６）
前記表示のために前記番組コンテンツを生成するための命令は、
前記広告コンテンツが前記番組コンテンツによって置換されることを要求する、ユーザ入力を受信するための命令と、
任意の広告コンテンツが再生されるとき、前記番組コンテンツに遷移することの事前に設定された要求を検出するための命令と
のうちの少なくとも１つに基づいて、表示のために前記番組コンテンツを生成するための命令を含む、項目３１に記載の非一過性機械可読媒体。
（項目３７）
前記命令はさらに、
前記再生リストを周期的に評価するための命令と、
前記評価の間、前記再生リストの第１の番組コンテンツがもはや前記ユーザに関連しないかどうかを判定するための命令であって、前記再生リストの第１の番組コンテンツがもはや前記ユーザに関連しないことを判定する命令は、前記第１の番組コンテンツのジャンル、前記第１の番組コンテンツの経過時間、および前記第１の番組コンテンツのタイプのうちの少なくとも１つに基づく、命令と、
前記再生リストの第１の番組コンテンツがもはや前記ユーザに関連しないことの判定に応答して、前記第１の番組コンテンツを前記再生リストから除去するための命令と
を備える、項目３１に記載の非一過性機械可読媒体。
（項目３８）
前記ユーザは、現在、インターネットを通して提供される番組を視聴しており、前記広告コンテンツは、インターネット広告コンテンツであり、前記命令はさらに、
前記インターネット広告コンテンツの持続時間の印に基づいて、前記インターネット広告コンテンツの持続時間を判定するための命令
を備え、
再生するための前記再生リストの複数の番組コンテンツの番組コンテンツを選択するための命令は、前記インターネット広告コンテンツの持続時間に対応する持続時間を有する番組コンテンツを選択するための命令を備える、項目３１に記載の非一過性機械可読媒体。
（項目３９）
前記広告コンテンツは、第１のユーザ機器を経由して間もなく再生されることになり、前記命令はさらに、前記広告コンテンツと前記番組コンテンツを置換するためのユーザ入力を受信するための命令を備え、表示のために前記番組コンテンツを生成するための命令は、前記第２のユーザ機器上で表示のために前記番組コンテンツを生成するための命令を備える、項目３１に記載の非一過性機械可読媒体。
（項目４０）
前記再生リストは、前記ユーザのユーザ機器によって録画させられるコンテンツと、ストリーミングコンテンツとを含む、項目３１に記載の非一過性機械可読媒体。
（項目４１）
広告コンテンツの代わりに再生されることになるユーザに関連するコンテンツの再生リストを生成および提供する方法であって、前記方法は、
制御回路を使用して、ユーザのプロファイルにアクセスすることと、
前記プロファイルのデータに基づいて、複数の番組コンテンツを含む再生リストを生成することと、
広告コンテンツが前記ユーザに間もなく再生されることになることを判定することと、
前記広告コンテンツが前記ユーザに間もなく再生されることになることの判定に応答して、
前記再生リストの複数の番組コンテンツの番組コンテンツを選択し、前記広告コンテンツの代わりに再生することと、
表示のために前記番組コンテンツを生成することと
を含む、方法。
（項目４２）
前記再生リストを生成することは、
広告コンテンツの複数の典型的持続時間を判定することであって、前記複数の典型的持続時間の各典型的持続時間は、広告コンテンツの異なる典型的持続時間に対応する、ことと、
番組コンテンツのセットを前記再生リストに追加することであって、前記セットの各番組コンテンツは、各個別の異なる典型的持続時間に対応する、ことと、
を含む、項目４１に記載の方法。
（項目４３）
前記番組コンテンツのセットを追加することは、
前記プロファイルに基づいて、種々の番組コンテンツを自動的に録画することと、
前記種々の番組コンテンツの複数のセグメントを識別することであって、前記複数のセグメントの各セグメントは、各個別の典型的持続時間に対応する持続時間を有し、前記複数のセグメントの各セグメントは、前記ユーザに関連する、ことと、
前記複数のセグメントの各セグメントを前記再生リストに追加することと
を含む、項目４２に記載の方法。
（項目４４）
前記複数の番組コンテンツの番組コンテンツを選択し、前記広告コンテンツの代わりに再生することは、前記広告コンテンツの持続時間に対応する持続時間を有する前記セットの第１の番組コンテンツを選択することを含む、項目４２に記載の方法。
（項目４５）
前記複数の番組コンテンツの番組コンテンツを選択し、前記広告コンテンツの代わりに再生することは、
前記ユーザが現在視聴している番組に関連する前記再生リストの第１の番組コンテンツを識別することと、
前記プロファイルに基づいて、前記第１の番組コンテンツが前記ユーザに関心がある可能性が高いかどうかを判定することと、
前記第１の番組コンテンツが前記ユーザに関心がある可能性が高いことの判定に応答して、前記第１の番組コンテンツを前記複数の番組コンテンツから選択することと
を含む、項目４１−４４のいずれかに記載の方法。
（項目４６）
表示のために前記番組コンテンツを生成することは、
前記広告コンテンツが前記番組コンテンツによって置換されることを要求する、ユーザ入力を受信することと、
任意の広告コンテンツが再生されるとき、前記番組コンテンツに遷移することの事前に設定された要求を検出することと
のうちの少なくとも１つに基づく、項目４１−４５のいずれかに記載の方法。
（項目４７）
前記再生リストを周期的に評価することと、
前記評価の間、前記再生リストの第１の番組コンテンツがもはや前記ユーザに関連しないかどうかを判定することであって、前記再生リストの第１の番組コンテンツがもはや前記ユーザに関連しないことを判定することは、前記第１の番組コンテンツのジャンル、前記第１の番組コンテンツの経過時間、および前記第１の番組コンテンツのタイプのうちの少なくとも１つに基づく、ことと、
前記再生リストの第１の番組コンテンツがもはや前記ユーザに関連しないことの判定に応答して、前記第１の番組コンテンツを前記再生リストから除去することと
をさらに含む、項目４１−４６のいずれかに記載の方法。
（項目４８）
前記ユーザは、現在、インターネットを通して提供される番組を視聴しており、前記広告コンテンツは、インターネット広告コンテンツであり、前記方法はさらに、
前記インターネット広告コンテンツの持続時間の印に基づいて、前記インターネット広告コンテンツの持続時間を判定すること
を含み、
再生するための前記再生リストの複数の番組コンテンツの番組コンテンツを選択することは、前記インターネット広告コンテンツの持続時間に対応する持続時間を有する番組コンテンツを選択することを含む、項目４１−４７のいずれかに記載の方法。
（項目４９）
前記広告コンテンツは、第１のユーザ機器を経由して間もなく再生されることになり、前記方法はさらに、前記広告コンテンツと前記番組コンテンツを置換するためのユーザ入力を受信することを含み、表示のために前記番組コンテンツを生成することは、前記第２のユーザ機器上で表示のために前記番組コンテンツを生成することを含む、項目４１−４８のいずれかに記載の方法。
（項目５０）
前記再生リストは、前記ユーザのユーザ機器によって録画させられるコンテンツと、ストリーミングコンテンツとを含む、項目４１−４９のいずれかに記載の方法。